(57)【要約】  発光ダイオード回路１を駆動するための装置は、前記発光ダイオード回路１に接続されるべき第１端子１１及び第２端子１２と、前記第１端子１１及び第２端子１２に接続されるコンデンサ３１と、導電モードにおいて前記発光ダイオード回路１をバイパスするためのスイッチ４１と、前記導電モードにおいて前記コンデンサ３１が前記スイッチ４１を介して放電されるのを防止するためのダイオード５１とを有する。この方法においては、前記コンデンサ３１を作動させる及び作動しないようにするために必要とされる付加的なスイッチなしで、スイッチ・オン遅延の低減が実現される。前記ダイオード５１は、このような付加的なスイッチより、単純であり、安価であり、且つロバストであり、制御を必要としない。好ましくは、前記装置は、他の端子１３を有し、前記ダイオード５１は、前記他の端子１３と、前記第１端子１１及び第２端子１２のうちの１つとに接続され、前記スイッチ４１は、前記他の端子１３と、前記第１端子１１及び第２端子１２のうちの他方の１つとに接続される。
2014527719.tif 000002
【特許請求の範囲】
【請求項１】
第１発光ダイオード回路を駆動するための装置であって、前記装置が、
前記第１発光ダイオード回路に接続されるべき第１及び第２端子と、
前記第１及び第２端子に接続される第１コンデンサと、
第１導電モードにおいて前記第１発光ダイオード回路をバイパスするための第１スイッチと、
前記第１導電モードにおいて前記第１コンデンサが前記第１スイッチを介して放電されるのを防止するための第１ダイオードとを有する装置。
【請求項２】
他の端子を更に有し、前記第１ダイオードが、前記他の端子と、前記第１及び第２端子のうちの１つとに接続され、前記第１スイッチが、前記他の端子と、前記第１及び第２端子のうちの他方の１つとに接続される請求項１に記載の装置。
【請求項３】
前記装置が、更に、第２発光ダイオード回路を駆動するよう構成され、前記装置が、
前記第２発光ダイオード回路に接続されるべき第３及び第４端子と、
前記第３及び第４端子に接続される第２コンデンサと、
第２導電モードにおいて前記第２発光ダイオード回路をバイパスするための第２スイッチと、
前記第２導電モードにおいて前記第２コンデンサが前記第２スイッチを介して放電されるのを防止するための第２ダイオードとを更に有する請求項１に記載の装置。
【請求項４】
更に他の端子を更に有し、前記第２ダイオードが、前記更に他の端子と、前記第３及び第４端子のうちの１つとに接続され、前記第２スイッチが、前記更に他の端子と、前記第３及び第４端子のうちの他方の１つとに接続される請求項３に記載の装置。
【請求項５】
前記第１及び第２発光ダイオード回路が、異なる色温度の光を供給し、前記装置が、構成要素の温度及び／又は減光モードに影響されない全体色温度を作成するための情報に応じて前記第１及び第２スイッチを制御するための制御装置を更に有する請求項３に記載の装置。
【請求項６】
請求項１に記載の装置を有し、前記第１発光ダイオード回路を更に有する機器。
【請求項７】
前記第１発光ダイオード回路が、１つの発光ダイオード、又は互いに接続される２つ以上の発光ダイオードを有する請求項６に記載の機器。
【請求項８】
請求項３に記載の装置を有し、前記第１及び第２発光ダイオード回路を更に有する機器。
【請求項９】
前記第１及び第２発光ダイオード回路の各々が、１つの発光ダイオード、又は互いに接続される２つ以上の発光ダイオードを有する請求項８に記載の機器。
【発明の詳細な説明】
【技術分野】
【０００１】
本発明は、第１発光ダイオード回路を駆動するための装置に関する。本発明は、更に、前記装置及び前記第１発光ダイオード回路を有する機器に関する。
【０００２】
このような機器の例は、ランプ、並びに発光ダイオード回路によって光を供給する他の業務用及び／又は家庭用製品である。
【背景技術】
【０００３】
US 2010 / 0194274は、広くは、バイパス駆動を備える発光ダイオード装置を開示しており、より詳細には、図９Ａにおいて、第１発光ダイオード回路１０、第１導電モードにおいて第１発光ダイオード回路１０をバイパスするための第１スイッチ１２、及び第１コンデンサ１３と付加的なスイッチ１４との直列接続を開示している。付加的なスイッチ１４は、第１導電モードにおいて、第１コンデンサ１３が第１スイッチ１２を介して放電されるのを防止する。段落００９１、０１００及び０１０１に記載されているように、第１コンデンサ１３は、スイッチ・オン遅延を減らすために、第１スイッチ１２を介して放電されるのを防止される必要がある。
【発明の概要】
【発明が解決しようとする課題】
【０００４】
本発明の目的は、改善された装置を提供することである。本発明の他の目的は、各々が改善された装置を有する機器を提供することである。
【課題を解決するための手段】
【０００５】
第１の態様によれば、第１発光ダイオード回路を駆動するための装置であって、前記装置が、
−  前記第１発光ダイオード回路に接続されるべき第１及び第２端子と、
−  前記第１及び第２端子に接続される第１コンデンサと、
−  第１導電モードにおいて前記第１発光ダイオード回路をバイパスするための第１スイッチと、
−  前記第１導電モードにおいて前記第１コンデンサが前記第１スイッチを介して放電されるのを防止するための第１ダイオードとを有する装置が提供される。
【０００６】
前記装置は、前記第１導電モードにおいて前記第１コンデンサが前記第１スイッチを介して放電されるのを防止するための第１ダイオードを有する。このような第１ダイオードは、付加的なスイッチより、単純であり、安価であり、且つロバストであり、制御を必要としない。改善された装置が作成されていることを明らかにする大きな利点がある。
【０００７】
前記装置の実施例は、前記装置が、他の端子を更に有し、前記第１ダイオードが、前記他の端子と、前記第１及び第２端子のうちの１つとに接続され、前記第１スイッチが、前記他の端子と、前記第１及び第２端子のうちの他方の１つとに接続されると規定される。これは、有利な構成である。
【０００８】
前記装置の実施例は、前記装置が、更に、第２発光ダイオード回路を駆動するよう構成され、前記装置が、
−  前記第２発光ダイオード回路に接続されるべき第３及び第４端子と、
−  前記第３及び第４端子に接続される第２コンデンサと、
−  第２導電モードにおいて前記第２発光ダイオード回路をバイパスするための第２スイッチと、
−  前記第２導電モードにおいて前記第２コンデンサが前記第２スイッチを介して放電されるのを防止するための第２ダイオードとを更に有すると規定される。
【０００９】
前記装置の実施例は、前記装置が、更に他の端子を更に有し、前記第２ダイオードが、前記更に他の端子と、前記第３及び第４端子のうちの１つとに接続され、前記第２スイッチが、前記更に他の端子と、前記第３及び第４端子のうちの他方の１つとに接続されると規定される。
【００１０】
前記装置の実施例は、前記第１及び第２発光ダイオード回路が、異なる色温度の光を供給し、前記装置が、構成要素の温度及び／又は減光モードに影響されない全体色温度を作成するための情報に応じて前記第１及び第２スイッチを制御するための制御装置を更に有すると規定される。
【００１１】
前記情報は、テーブル、又は全体光強度の測定値若しくは発光ダイオード回路当たりの個々の光強度の測定値、又は全電流の測定値若しくは発光ダイオード回路当たりの個々の電流の測定値などから導き出され得る。
【００１２】
第２の態様によれば、上で規定されているような装置を有し、前記第１発光ダイオード回路を更に有する機器が提供される。好ましくは、前記第１発光ダイオード回路は、１つの発光ダイオード、又は互いに接続される２つ以上の発光ダイオードを有する。これは、直列接続、並列接続又は両方の組み合わせであり得る。
【００１３】
第３の態様によれば、上で規定されているような装置を有し、前記第１及び第２発光ダイオード回路を更に有する機器が提供される。好ましくは、前記第１及び第２発光ダイオード回路の各々が、１つの発光ダイオード、又は互いに接続される２つ以上の発光ダイオードを有する。これは、直列接続、並列接続又は両方の組み合わせであり得る。
【００１４】
洞察は、付加的なスイッチは、より複雑であり、且つより高価であり、制御を必要とするというものであり、基本的なアイデアは、このような付加的なスイッチは、より単純であり、より安価であり、且つよりロバストであり、制御を必要としないダイオードに置き換えられるべきであるというものである。
【００１５】
改善された装置を提供するという課題は解決される。利点は、前記装置は、より単純であり、より安価であり、且つよりロバストであり、付加的なスイッチのための制御を必要としないというものであり得る。
【００１６】
下記の実施例を参照して、本発明のこれら及び他の態様を説明し、明らかにする。
【図面の簡単な説明】
【００１７】
【図１】機器の第１実施例を示す。
【図２】機器の第２実施例を示す。
【発明を実施するための形態】
【００１８】
図１には、機器の第１実施例が示されている。機器は、電流源１００に接続される。電流源１００の或る側部は、第１スイッチ４１の第１接点、第１コンデンサ３１の第１接点及び第１発光ダイオード回路１の第１接点に接続される第１端子１１に接続される。第１発光ダイオード回路の第２接点は、第１コンデンサ３１の第２接点及び第１ダイオード５１の第１接点に接続される第２端子１２に接続される。第１ダイオード５１の第２接点は、第１スイッチ４１の第２接点及び電流源１００の別の側部に接続される他の端子１３に接続される。第１スイッチ４１は、制御装置１０によって制御される。
【００１９】
図２には、機器の第２実施例が示されている。機器は、電流源１００に接続される。電流源１００の或る側部は、第１スイッチ４１の第１接点及び第１ダイオード５１の第１接点に接続される他の端子１３に接続される。第１ダイオード５１の第２接点は、第１コンデンサ３１の第１接点及び第１発光ダイオード回路１の第１接点に接続される第１端子１１に接続される。第１発光ダイオード回路１の第２接点は、第１コンデンサ３１の第２接点及び第１スイッチ４１の第２接点に接続される第２端子１２、並びに第２スイッチ４２の第１接点及び第２ダイオード５２の第１接点に接続される更に他の端子２３に接続される。第２ダイオード５２の第２接点は、第２コンデンサ３２の第１接点及び第２発光ダイオード回路２の第１接点に接続される第３端子２１に接続される。第２発光ダイオード回路２の第２接点は、第２コンデンサ３２の第２接点、第２スイッチ４２の第２接点及び電流源１００の別の側部に接続される第４端子２２に接続される。第１スイッチ４１及び第２スイッチ４２は、制御装置１０によって制御される。
【００２０】
各コンデンサ３１、３２は、如何なる種類のコンデンサであってもよい。各スイッチ４１、４２は、如何なる種類のスイッチであってもよい。各ダイオード５１、５２は、如何なる種類のダイオードであってもよい。各発光ダイオード回路１、２は、１つの発光ダイオード、又はあらゆる種類の直列及び／若しくは並列構成の２つ以上の発光ダイオードを含み得る。
【００２１】
ダイオード５１、５２の挿入によって、コンデンサ３１、３２は、最早、導電モードにあるときに、スイッチ４１、４２を介して放電されない。結果として、（発光ダイオード回路１、２に並列に位置する分岐において）コンデンサ３１、３２に直列に接続される従来技術のスイッチ（図示せず、例えば、US 2010 / 0194274参照）は、最早、スイッチ・オン遅延を減らすためには必要とされない。このことを鑑みて、前記従来技術のスイッチが、分かりきった方法で、ただ、前記ダイオード５１、５２に置き換えられているのではないことに注意されなければならない。更に、ダイオード５１、５２は、（前記分岐の外部の）異なる位置に付与されなければならない。
【００２２】
制御装置１０は、例えば、発光ダイオード回路１、２が、構成要素の温度及び／又は減光モードに影響されない全体色温度を一緒に供給するように、情報に応じて、スイッチ４１、４２を制御する。これを達成するため、発光ダイオード回路１、２は、各々、異なる色温度の光を供給してもよく、情報は、テーブル、及び／又は全体光強度の測定値若しくは発光ダイオード回路１、２当たりの個々の光強度の測定値、及び／又は全電流の測定値若しくは発光ダイオード回路１、２当たりの個々の電流の測定値などから導き出され得る。
【００２３】
明らかに、第１端子１１、第２端子１２及び他の端子１３のうちの少なくとも１つは、第３端子２１、第４端子２２及び更に他の端子２３のうちの少なくとも１つと一致してもよい。
【００２４】
コンデンサ３１、３２は、平滑化機能及び／又は等化機能及び／又はバッファ機能などを持ち得る。このことを鑑みて、（発光ダイオード回路１、２に並列に位置する分岐において）コンデンサ３１、３２に直列に接続される前記従来技術のスイッチが、（前記分岐の内部の）ダイオードに置き換えられる場合には、コンデンサ３１、３２は、それらの機能の少なくとも一部を失うだろうことに注意されなければならばない。
【００２５】
図１及び２に示されている機器は、通常は電流源１００は別として示される全ての構成要素を有する。機器は、発光ダイオード回路１、２を含んで、制御装置１０を含んで又は除いて、販売され得る。他の例においては、装置は、如何なる発光ダイオード回路も除いて、制御装置１０を含んで又は除いて、販売され得る。
【００２６】
要約すると、発光ダイオード回路１を駆動するための装置は、発光ダイオード回路１に接続されるべき第１端子１１及び第２端子１２と、第１端子１１及び第２端子１２に接続されるコンデンサ３１と、導電モードにおいて発光ダイオード回路１をバイパスするためのスイッチ４１と、導電モードにおいてコンデンサ３１がスイッチ４１を介して放電されるのを防止するためのダイオード５１とを有する。この方法においては、前記コンデンサ３１を作動させる及び作動しないようにするために必要とされる付加的なスイッチなしで、スイッチ・オン遅延の低減が実現される。ダイオード５１は、このような付加的なスイッチより、単純であり、安価であり、且つロバストであり、制御を必要としない。好ましくは、装置は、他の端子１３を有し、ダイオード５１は、他の端子１３と、第１端子１１及び第２端子１２のうちの１つとに接続され、スイッチ４１は、他の端子１３と、第１端子１１及び第２端子１２のうちの他方の１つとに接続される。
【００２７】
本発明を、図面において図示し、上記の説明において詳細に説明しているが、このような図及び説明は、説明的なもの又は例示的なものとみなされるべきであって、限定するものとみなされるべきではない。本発明は、開示されている実施例に限定されない。請求項に記載の発明を実施する当業者は、図面、明細及び添付の請求項の研究から、開示されている実施例に対する他の変形を、理解し、達成し得る。請求項において、「有する」という用語は、他の要素又はステップを除外せず、単数形表記は、複数の存在を除外しない。単に、特定の手段が、相互に異なる従属請求項において引用されているという事実は、これらの手段の組み合わせが有利になるように用いられることができないことを示すものではない。請求項におけるいかなる参照符号も、範囲を限定するものとして解釈されてはならない。
【図１】
2014527719.tif 000003
【図２】
2014527719.tif 000004
【国際調査報告】
2014527719.tif 000005
2014527719.tif 000006